(57)【要約】追記型光ディスクの上書き方法に係り、特に、上書きを要請されたデータをデータ領域内の他の領域に代替記録し、代替記録の後もユーザーデータ領域の連続性を確保するために、ディスク内の記録済みの特定領域への上書きを要請されたデータを、ディスク内のユーザーデータ領域の末尾から代替記録すると共に、前記代替記録により変更される前記ユーザーデータ領域の末尾の記録可能な位置情報をディスク内の管理領域に記録することを特徴とする。
2006510160.tif 000002
【特許請求の範囲】
【請求項１】
ディスク内の記録済みの特定領域への上書きを要請されたデータを、ディスク内のユーザーデータ領域の末尾から代替記録し、
前記代替記録により変更される前記ユーザーデータ領域の末尾の記録可能な位置情報をディスク内の管理領域に記録することを特徴とする追記型光ディスクの上書き方法。
【請求項２】
前記ユーザーデータ領域の末尾の記録可能な位置情報は、前のユーザーデータ領域の末尾の記録可能な位置情報のアップデートにより得られることを特徴とする請求項１に記載の追記型光ディスクの上書き方法。
【請求項３】
前記ユーザーデータ領域の末尾の記録可能な位置情報は、前のユーザーデータ領域の末尾の記録可能な位置情報をそのまま維持し、新しい管理情報としてアップデートされることを特徴とする請求項１に記載の追記型光ディスクの上書き方法。
【請求項４】
前記追記型光ディスクにおける上書き方法を、複数の記録層を有する光ディスクにも同様に適用することを特徴とする請求項１に記載の追記型光ディスクの上書き方法。
【請求項５】
前記複数の記録層が、ユーザーデータ領域が一つの記録層のように連続して付与されることを特徴とする請求項４に記載の追記型光ディスクの上書き方法。
【請求項６】
ディスク内の記録済みの特定領域への上書きを要請されたデータを、ディスク内のアウタースペア領域（ＯＳＡ）の前の領域から代替記録し、
前記代替記録された領域の大きさ分ＯＳＡを拡張し、
前記ＯＳＡの拡張により変更されるユーザーデータ領域の末尾の記録可能な位置情報をディスク内の管理領域に記録することを特徴とする追記型光ディスクの上書き方法。
【請求項７】
ディスク内の記録済みの特定領域への上書きを要請されたデータを、ディスク内のアウタースペア領域（ＯＳＡ）内に代替記録し、
前記代替記録された領域の大きさを考慮してＯＳＡの拡張の要否を決め、
前記ＯＳＡの拡張により変更されるユーザーデータ領域の末尾の記録可能な位置情報をディスク内の管理領域に記録することを特徴とする追記型光ディスクの上書き方法。
【請求項８】
前記ＯＳＡの拡張要否の決定は、代替記録が行われる前になされることを特徴とする請求項７に記載の追記型光ディスクの上書き方法。
【請求項９】
前記ＯＳＡの拡張要否の決定は、ディスクの初期化時になされることを特徴とする請求項７に記載の追記型光ディスクの上書き方法。
【請求項１０】
複数の記録層を有する追記型光ディスクに、
ディスク内の記録済みの特定領域への上書きを要請されたデータを、ディスク内の各記録層のユーザーデータ領域内に選択的に代替記録すると共に、
前記代替記録により変更される各記録層毎のユーザーデータ領域の末尾の記録可能な位置情報をディスク内の管理領域に記録することを特徴とする追記型光ディスクの上書き方法。
【請求項１１】
前記各記録層毎のユーザーデータ領域の末尾の記録可能な位置情報が、前の各記録層毎のユーザーデータ領域の末尾の記録可能な位置情報のアップデートにより得られることを特徴とする請求項１０に記載の追記型光ディスクの上書き方法。
【請求項１２】
前記各記録層毎のユーザーデータ領域の末尾の記録可能な位置情報が、前の各記録層毎のユーザーデータ領域の末尾の記録可能な位置情報をそのまま維持し、新しい管理情報としてアップデートされることを特徴とする請求項１０に記載の追記型光ディスクの上書き方法。
【請求項１３】
特定領域に対し記録を行うように要求する記録指令を受信し、
前記特定領域が記録済みの領域であるか未記録領域であるかを判断し、
記録済みの領域であればデータ領域内の他の領域に代替記録し、代替記録の後もユーザーデータ領域の連続性が確保できるように代替記録されることを特徴とする追記型光ディスクの上書き方法。
【請求項１４】
前記代替記録により変更されるユーザーデータ領域の末尾の記録可能な位置情報をディスク内の管理領域に記録することを特徴とする請求項１３に記載の追記型光ディスクの上書き方法。
【請求項１５】
前記特定領域が記録済み領域であるか未記録領域であるかの判断は、ディスク内に記録された最新の管理情報を用いることを特徴とする請求項１３に記載の追記型光ディスクの上書き方法。
【請求項１６】
前記管理情報は、スペースビットマップであることを特徴とする請求項１５に記載の追記型光ディスクの上書き方法。
【請求項１７】
特定領域に対し記録を行うように記録指令を伝える制御部と、
前記特定領域が記録済み領域であるか未記録領域であるかを判断し、記録済み領域であればデータ領域内の他の領域に代替記録し、代替記録の後もユーザーデータ領域の連続性が確保できるように代替記録する記録部と
を有することを特徴とする追記型光ディスクの記録再生装置。
【発明の詳細な説明】
【技術分野】
【０００１】
本発明は追記型光ディスクへの上書きを管理する方法及び装置に関する。
【背景技術】
【０００２】
近年、高画質のビデオデータと高音質のオーディオデータを長時間記録し、保存できる新規な高密度光記録媒体、例えば、書き換え可能型ブルーレイ・ディスク（ＢＤ−ＲＥ：Blu-ray rewritable disc）が開発され市販されるものと期待されている。
【０００３】
ＢＤ−ＲＥには、図１に示すように、リードイン領域、データ領域、リードアウト領域がそれぞれ割り当てられると共に、データ領域の先頭と末尾には、インナースペア領域（ＩＳＡ：Inner Spare Area）とアウタースペア領域（ＯＳＡ：Outer Spare Area）がそれぞれ割り当てられる。
【０００４】
ＢＤ−ＲＥ上には、所定の記録単位に対応するクラスタ単位で記録され、書き換え可能型光ディスクの特性上、特定領域にデータを複数回繰り返し書き換えることができる。これを物理的上書きという。その際、図１に示すように、データの記録中にデータ領域に欠陥領域が存在するか否かを検出する。そして、欠陥領域が検出されると、その欠陥領域に記録すべきデータをスペア領域、例えば、インナースペア領域（ＩＳＡ）に代替記録する一連の代替記録動作を行うと共に、欠陥領域に関する位置情報と、スペア領域における代替記録された領域の位置情報を管理情報としてリードイン領域内のＤＭＡに欠陥リストとして記録し保存する。
【０００５】
近年、追記型ブルーレイ・ディスク（ＢＤ−ＷＯ：Blu-ray Disc write once）に対する規格化が論議されている。追記型光ディスクは、ディスクの全領域にわたって１回だけ記録可能であり、書き換え可能型光ディスクとは異なり物理的に上書きは不可能である。
【０００６】
しかし、追記型光ディスクにおいても記録済みのデータを編集したり、該当部分だけの修正を必要としたり、又はユーザーやホスト等の便宜のために上書きを必要としたりする場合が生じるので、上書きできる効率的な方案の確立が急がれているのが実情である。
【発明の開示】
【発明が解決しようとする課題】
【０００７】
従って、本発明は、上記事情に鑑みてなされたものであり、追記型光ディスクでも上書き可能とする上書きの管理方法とそのための装置を提供することを目的とする。
【０００８】
また、本発明は、追記型光ディスクにおいて論理的な上書きを可能ならしめることを目的とし、特に、論理的な上書きの後もユーザーデータ領域の連続性を保持することが目的である。
【０００９】
本発明のさらなる利点、目的及び特徴は、この技術分野における当業者にとっては、後述する説明における本発明の教示から自明に理解できるであろう。本発明の目的及び他の利点は、添付された図面と特許請求の範囲及び詳細な説明に特に指摘されている構造により実現及び獲得できる。
【課題を解決するための手段】
【００１０】
本発明による追記型光ディスクの上書き方法は、ディスク内の記録済みの特定領域への上書きを要請されたデータを、ディスク内のユーザーデータ領域の末尾から代替記録し、代替記録により変更される前記ユーザーデータ領域の末尾の記録可能な位置情報をディスク内の管理領域に記録することを特徴とする。
【００１１】
本発明による追記型光ディスクの他の上書き方法は、ディスク内の記録済みの特定領域への上書きを要請されたデータを、ディスク内のアウタースペア領域（ＯＳＡ）の前の領域から代替記録し、代替記録された領域の大きさ分ＯＳＡを拡張し、ＯＳＡの拡張により変更されるユーザーデータ領域の末尾の記録可能な位置情報をディスク内の管理領域に記録することを特徴とする。
【００１２】
本発明による追記型光ディスクのさらに他の上書き方法は、ディスク内の記録済みの特定領域への上書きを要請されたデータを、ディスク内のアウタースペア領域（ＯＳＡ）内に代替記録し、代替記録された領域の大きさを考慮してＯＳＡの拡張の要否を決め、ＯＳＡの拡張により変更されるユーザーデータ領域の末尾の記録可能な位置情報をディスク内の管理領域に記録することを特徴とする。
【００１３】
本発明による追記型光ディスクのさらなる上書き方法は、複数の記録層を有する追記型光ディスクにおいて、ディスク内の記録済みの特定領域への上書きを要請されたデータを、ディスク内の各記録層のユーザーデータ領域内に選択的に代替記録すると共に、前記代替記録により変更される各記録層毎のユーザーデータ領域の末尾の記録可能な位置情報をディスク内の管理領域に記録することを特徴とする。
【００１４】
本発明による追記型光ディスクのさらに他の上書き方法は、特定領域に対し記録を行うように要求する記録指令を受信し、前記特定領域が記録済みの領域であるか未記録領域であるかを判断し、記録済みの領域であればデータ領域内の他の領域に代替記録し、代替記録の後もユーザーデータ領域の連続性が確保できるように代替記録されることを特徴とする。
【００１５】
また、本発明による追記型光ディスクの記録再生装置は、特定領域に対し記録を行うように記録指令を伝える制御部と、前記特定領域が記録済み領域であるか未記録領域であるかを判断し、記録済み領域であればデータ領域内の他の領域に代替記録し、代替記録の後もユーザーデータ領域の連続性が確保できるように代替記録する記録部とを備えることを
【発明を実施するための最良の形態】
【００１６】
本発明に関する一般的な説明及び後述する詳細な説明は、請求された本発明をさらに明確にするために例示されたものとして理解すべきである。
【００１７】
本発明のさらなる目的と長所は、後述する本発明の好適な実施の形態に関連する添付図面により一層明らかになるであろう。
【００１８】
以下、添付した図面に基づき、本発明による追記型光ディスクの上書き方法に関する好適な実施の形態について詳細に説明する。なお、本発明において使われている用語は、従来から決められ使われてきている用語を採用することを原則としているが、新規技術の出現に伴い本発明において出願人が最も適切であると判断した用語も任意に使っており、それらの用語の意味については、当該説明部分で明確に説明した。従って、本発明を理解するに当たっては、単なる用語の名称の観点からではなく、当該用語がもつ特定された意味として理解さるべきである。
【００１９】
本発明は、追記型光ディスクにおいても上書きできるようにしたことを特徴とする。一般に、上書き方式とは、書き換え可能型光ディスクにおいて特定領域へ複数回繰り返し記録することを意味する。即ち、一般に、上書きとは、書き換え可能型光ディスクにおける固有の特徴を意味し、追記型光ディスクでは実施することができない。
【００２０】
しかし、本発明では、追記型光ディスクの物理的特性である‘１回記録性’を維持しながら、論理的に上書きができるようにした。特に、論理的な上書きの後もユーザーデータ領域の連続性が維持できるようにすることでディスク使用の効率性を高めたものである。これについて各種の実施形態を通じて詳細に説明する。なお、説明の便宜上、ＢＤ−ＷＯの場合を例に挙げて説明する。
【００２１】
図２は、本発明による追記型光ディスクとしてのＢＤ−ＷＯの構造を概略的に示す図である。ＢＤ−ＷＯは、リードイン領域（ＬＩＡ）、データ領域、リードアウト領域（ＬＯＡ）を含み、データ領域の先頭と末尾には、インナースペア領域（ＩＳＡ）とアウタースペア領域（ＯＳＡ）が割り当てられ、これらの間に、実際にデータが記録されるユーザーデータ領域が割り当てられる。ユーザーデータ領域には、論理的セクタ番号（ＬＳＮ：Logical Sector Number）が付与されており、ユーザーやホスト等は、ＬＳＮを参照して記録指令を送る。記録指令を送られた記録再生装置は、ＬＳＮをディスク内における実際の位置情報を示す物理的セクタ番号（ＰＳＮ：Physical Sector Number）に変換し記録指令を行う。
【００２２】
また、ディスク内には、ディスクの管理情報を記録する一時的欠陥管理領域（ＴＤＭＡ：Temporary Defect Management Area）が備えられており、ＴＤＭＡ内には一時的欠陥リスト（ＴＤＦＬ：Temporary Defect List）、一時的ディスク定義構造（ＴＤＤＳ：Temporary Disc Defenition Structure）、スペースビットマップ（ＳＢＭ：Space Bit-Map）等を管理情報として記録する。特に、本発明では、上書きのための代替記録を行ってからそれに関連する管理情報を記録するに際し、ＴＤＦＬ内には、オリジナル領域と代替記録された領域の位置情報を記録し、ＴＤＤＳ内には、代替記録の後におけるユーザーデータ領域の連続性を表すＬＳＮ情報を記録する。
【００２３】
また、ＴＤＭＡ内に記録されるＳＢＭ情報は、最小の記録単位である１クラスタ毎に１ビットを割り当て、当該クラスタを記録済みの領域であれば‘１ｂ’で、未記録領域であれば‘０ｂ’で表す（相互逆にして表してもよいことはいうまでもない）。この結果、ＳＢＭ情報を読み込めばディスクに存在する記録済み領域と未記録領域を容易に確認することができる。即ち、記録再生装置は、ユーザーから特定領域への記録指令を送られた場合、ＳＢＭ情報に基づいて当該領域が記録済みであるか又は未記録状態かが判断可能になり、記録済み領域であると判断されれば、データ領域内の他の領域への代替記録を行うことにより本発明での論理的な上書きを可能にする。
【００２４】
ＴＤＭＡに記録されるＴＤＦＬ、ＴＤＤＳ、ＳＢＭのような管理情報は、特定のアップデートタイミング毎に最小１クラスタ単位でアップデートが行われる。追記型光ディスクでは、ＴＤＭＡのような管理情報を記録する領域が必ず必要である。
【００２５】
図２においてデータ領域内に記録済みの領域が存在する場合、当該領域は、追記型光ディスクの特性上、物理的には上書きできないといえる。しかし、ユーザーやホスト等からの記録指令が図２に示すようなＡ−Ｂ領域（記録済み領域）への記録を行うよう要請すると、本発明では記録再生装置がここに記録すべきデータを自動的にデータ領域内の他の領域に代替記録することを特徴とする。従って、ユーザーやホスト等は、ディスク内の特定領域が記録済みか否かに関係なく記録指令を出すことができ、これは、追記型光ディスクであるにもかかわらず、ユーザー等が書き換え可能型光ディスクのように使用することができるということを意味する。これを、物理的な上書きと区分して論理的上書き（Logical OverWrite：ＬＯＷ）と称する。
【００２６】
また、本発明は、図２に示すようにＡ−Ｂ領域に対する記録指令を行うに際し、そこが物理的に記録済みの部分であれば当該領域への上書きはできないが、そこに記録すべきデータをデータ領域内、特に、ユーザーデータ領域の連続性が確保される位置に代替記録し、それに関する管理情報をディスク内のＴＤＭＡに記録して、記録指令を完遂する。
【００２７】
図３Ａは、本発明による追記型光ディスクの上書き方法に関する実施形態を示す図であって、上書きを要請された領域（Ａ−Ｂ領域）に記録すべきデータをデータ領域内の他の領域に代替記録するに際し、代替記録の後もユーザーデータ領域の連続性を維持するために、ＯＳＡのすぐ前の領域（ａ−ｂ領域）から代替記録し、代替記録の後はユーザーデータ領域の末尾の記録可能な位置を変更させる。即ち、代替記録の前は、ユーザーデータ領域がＯＳＡの直前の位置に最後のＬＳＮ（Ｌａｓｔ  ＬＳＮ）情報を有していたが、代替記録の後は、Ｌａｓｔ  ＬＳＮ情報が新しく与えられる。従って、ユーザーやホスト等は、ＬＳＮに基づいて記録指令を出すため、代替記録済みの領域はＬＳＮから除かれ、全体としてユーザーデータ領域の連続性が維持され、これは、ディスク内に記録を行うに際する記録再生部１０（図１６）の動作の便宜性につながる。
【００２８】
図３Ｂは、代替記録された領域（ａ−ｂ領域）を部分拡大した図であって、以前のＬａｓｔ  ＬＳＮ位置から代替記録され、代替記録が完了した後は、記録可能なユーザーデータ領域のＬａｓｔ  ＬＳＮをａ位置の直前に与えることにより、今後の上書きの際、新しいＬａｓｔ  ＬＳＮから活用可能になる。
【００２９】
前記の如き代替記録の後の最後のＬＳＮの変更による情報は、ディスク内の管理領域のどこかに記録しておく必要があり、本発明では、例えば、ＴＤＭＡ内のＴＤＤＳに記録する。ＴＤＤＳ内には、一般のディスク管理情報が多数含まれており、ＴＤＤＳは、アップデートタイミング毎に常時最新の情報を記録するため、本発明のような管理情報を記録するには最も好適である。
【００３０】
図４は、本発明による追記型光ディスクの上書き方法に関する他の実施形態を示す図であって、上書きを要請された領域（Ａ−Ｂ領域）に記録すべきデータをデータ領域内の他の領域に代替記録するに際し、代替記録の後もユーザーデータ領域の連続性を維持するために、ＯＳＡの前の領域（ａ−ｂ領域）から代替記録し、代替記録の後は、代替記録された大きさ分ＯＳＡ領域を拡張する。従って、拡張されたＯＳＡにより変更されるユーザーデータ領域の末尾の記録可能な位置情報を変更し管理情報として記録する。
【００３１】
図５は、本発明による追記型光ディスクの上書き方法に関するさらに他の実施形態を図式化したものであって、上書きを要請された領域（Ａ−Ｂ領域）に記録すべきデータをデータ領域内の他の領域に代替記録するに際し、代替記録の後もユーザーデータ領域の連続性を維持するために、ＯＳＡ内に代替記録を行い、代替記録の後は、代替記録された大きさを考慮してＯＳＡ領域を拡張する。ＯＳＡが拡張されたので、拡張されたＯＳＡにより変更されるユーザーデータ領域の末尾の記録可能な位置情報を変更させる。代替記録の後も代替記録された大きさを考慮してＯＳＡ領域を拡張しなくてもよい。ＯＳＡが拡張されない場合、ユーザーデータ領域の末尾の記録可能な位置情報も当然変更されない。また、代替記録の前に予めＯＳＡを拡張することも可能であり、ＯＳＡの拡張時点は、システムによっては初期化時や、ユーザーからの要請によってはディスクの使用中でも可能である。
【００３２】
図７は、上書きの要請による代替記録によって変更されるＬＳＮ情報が、図３Ａ〜図５に示す本発明の実施形態にしたがって記録されるＴＤＤＳの構造を概略的に示す図である。
【００３３】
ＴＤＤＳ内には、‘ＬＳＮ＝０’の位置情報と‘Ｌａｓｔ  ＬＳＮ’の位置情報が記録可能なフィールドを備えており、ＴＤＤＳをアップデートする都度アップデートする時の‘ＬＳＮ＝０’の位置情報と‘Ｌａｓｔ  ＬＳＮ’の位置情報を記録する。従って、図３Ａ〜図５を適用すれば、上書きの要請により代替記録が行われ、代替記録により変更される‘Ｌａｓｔ  ＬＳＮ’情報を記録する。
【００３４】
図６は、本発明による追記型光ディスクの上書き方法に関する更なる実施形態を示す図であって、上書きを要請された領域（Ａ−Ｂ領域）に記録すべきデータをデータ領域内の他の領域に代替記録するに際し、代替記録の後もユーザーデータ領域の連続性を維持するために、ＯＳＡの前の領域（ａ−ｂ領域）から代替記録し、代替記録の後は、ユーザーデータ領域の末尾の記録可能な位置を変更させる。図６に示す実施形態と図３Ａ〜図５に示す場合との相違点は、代替記録の前にユーザーデータ領域に付与された‘Ｌａｓｔ  ＬＳＮ’値はそのまま維持し、代替記録の後は新しい‘Ｌａｓｔ  ＬＳＮ’が付与されることである。これを、特にユーザーデータ領域の使用可能なＬａｓｔ  ＬＳＮと称する。
【００３５】
図８は、図６に示す場合におけるＴＤＤＳ内に記録される管理情報を概略的に示す図であって、前のＬａｓｔ  ＬＳＮ値と代替記録の後の変更された‘使用可能なＬａｓｔ  ＬＳＮ’情報をいずれも含むことを特徴とする。
【００３６】
図９〜図１５は、本発明の追記型光ディスクの上書き方法を複数の記録層を有する光ディスクに適用した実施形態を示す図である。説明の便宜のために、追記型光ディスクとしてＢＤ−ＷＯの場合を例に挙げて説明する。
【００３７】
まず、図９は、ＢＤ−ＷＯとしての複数の記録層を有するディスクの構造を概略的に示す図であって、このようなディスクを、図２に示すような一つの記録層を有する単層ディスクに対比して二層ディスクといい、それぞれの記録層を‘Ｌａｙｅｒ  ０’、‘Ｌａｙｅｒ  １’と称す。
【００３８】
ＢＤ−ＷＯにおける二層は、単層を拡張した概念として捉えられ、従って、ユーザーデータ領域に付与されるＬＳＮは、‘Ｌａｙｅｒ  ０’のＩＳＡ０の後の‘ＬＳＮ＝０’から始まり、‘Ｌａｙｅｒ  １’のＩＳＡ１の前の‘Ｌａｓｔ  ＬＳＮ’まで連続性をもつ値が付与されている。また、リードイン領域とリードアウト領域には、管理情報を記録するＴＤＭＡ０、ＴＤＭＡ１がそれぞれ割り当てられており、ＴＤＭＡ０、ＴＤＭＡ１には、単層の場合と同様にＴＤＦＬ、ＴＤＤＳ、ＳＢＭ情報等を記録する。
【００３９】
図１０は、本発明による追記型二層ディスクの上書き方法に関する実施形態を示す図であって、図３に示す単層の場合に関する実施形態を拡張適用したものである。即ち、上書きを要請された領域（Ｃ−Ｄ領域）に記録すべきデータをデータ領域内の他の領域に代替記録するに際し、代替記録の後もユーザーデータ領域の連続性を維持するために、ＩＳＡ１の前の領域（ｃ−ｄ領域）から代替記録し、代替記録の後は、ユーザーデータ領域の末尾の記録可能な位置を変更させる。この場合は、二層であるにもかかわらず単層に適用される場合と同様な方式にて上書きを行うことができる。即ち、代替記録の前は、ユーザーデータ領域がＩＳＡ１の直前の位置に‘Ｌａｓｔ  ＬＳＮ’情報を有していたが、代替記録の後は、新しい‘Ｌａｓｔ  ＬＳＮ’が付与される。また、管理情報はＴＤＭＡ内のＴＤＤＳに記録され、図７に示すように、ＴＤＤＳのアップデートタイミング時に新しい‘Ｌａｓｔ  ＬＳＮ’情報値を記録する。
【００４０】
二層ディスクの場合にも、図４や図５のように単層ディスクのＯＳＡの前又はＯＳＡ内に代替記録される場合を同様に適用することができ、この場合、‘Ｌａｙｅｒ  １’のＩＳＡ１が拡張されるスペア領域になる。
【００４１】
図１１は、 本発明による追記型二層ディスクの上書き方法に関する他の実施形態を示す図であって、図６に示す単層の場合に関する実施形態を拡張適用したものである。即ち、上書きを要請された領域（Ｃ−Ｄ領域）に記録すべきデータをデータ領域内の他の領域に代替記録するに際し、代替記録の後もユーザーデータ領域の連続性を維持するために、ＩＳＡ１の前の領域（ｃ−ｄ領域）から代替記録し、代替記録の後は、ユーザーデータ領域の末尾の記録可能な位置を変更させる。即ち、代替記録の前は、ユーザーデータ領域に付与された‘Ｌａｓｔ  ＬＳＮ’情報（ＩＳＡ１の前）はそのまま維持し、代替記録の後は、新しい‘Ｌａｓｔ  ＬＳＮ’を付与する。これを、特にユーザーデータ領域の使用可能なＬａｓｔ  ＬＳＮと称する。また、管理情報はＴＤＭＡ内のＴＤＤＳに記録され、図８に示すように、ＴＤＤＳのアップデートタイミング時に新しい‘ｕｓａｂｌｅ  Ｌａｓｔ  ＬＳＮ’情報値を記録する。
【００４２】
図１２は、本発明による追記型二層ディスクの上書き方法に関する更なる実施形態を示す図であって、複数の記録層のそれぞれに対し‘Ｌａｓｔ  ＬＳＮ’情報を有している場合である。即ち、上書きを要請された領域（Ａ−Ｂ領域とＣ−Ｄ領域）に記録すべきデータをデータ領域内の他の領域に代替記録するに際し、代替記録の後もユーザーデータ領域の連続性を維持するために、Ａ−Ｂ領域に記録すべきデータをＯＳＡ０の前の領域（ａ−ｂ領域）に代替記録し、Ｃ−Ｄ領域に記録すべきデータをＩＳＡ１の前の領域（ｃ−ｄ領域）に代替記録し、代替記録の後は、ユーザーデータ領域の末尾の記録可能な位置を各記録層毎に変更させる。これは、二層の各記録層毎に上書きのための代替記録が行われる場合である。即ち、代替記録の前は、ユーザーデータ領域が各記録層毎に‘Ｌａｓｔ  ＬＳＮ’情報を有していたが（Ｌａｙｅｒ０、１のＬａｓｔ  ＬＳＮ）、代替記録の後は、各記録層毎に新しい‘Ｌａｓｔ  ＬＳＮ’が付与される。管理情報はＴＤＭＡ内のＴＤＤＳに記録され、図１４に示すように、ＴＤＤＳのアップデートタイミング時に各記録層に関する新しい‘Ｌａｓｔ  ＬＳＮ’情報を記録する。
【００４３】
また、二層ディスクの場合にも、図４及び図５のように単層ディスクのＯＳＡの前又はＯＳＡ内に代替記録される場合を同様に適用することができ、この場合、Ｌａｙｅｒ  ０ではＯＳＡ０が拡張されるスペア領域になり、Ｌａｙｅｒ  １ではＩＳＡ１が拡張されるスペア領域になる。
【００４４】
図１３は、 本発明による追記型二層ディスクの上書き方法に関するさらに他の実施形態を示す図である。即ち、上書きを要請された領域（Ａ−Ｂ領域とＣ−Ｄ領域）に記録すべきデータをデータ領域内の他の領域に代替記録するに際し、代替記録の後もユーザーデータ領域の連続性を維持するために、Ａ−Ｂ領域に記録すべきデータをＯＳＡ０の前の領域（ａ−ｂ領域）に代替記録し、Ｃ−Ｄ領域に記録すべきデータをＩＳＡ１の前の領域（ｃ−ｄ領域）に代替記録し、代替記録の後は、ユーザーデータ領域の末尾の記録可能な位置を各記録層毎に変更させる。即ち、代替記録の前は、各記録層毎にユーザーデータ領域に付与された‘Ｌａｓｔ  ＬＳＮ’情報（Ｌａｙｅｒ０、１のＬａｓｔ  ＬＳＮ）をそのまま維持し、代替記録の後は、各記録層毎に新しい‘Ｌａｓｔ  ＬＳＮ’が付与される。これを、特にユーザーデータ領域の使用可能なＬａｓｔ  ＬＳＮと称する。また、管理情報はＴＤＭＡ内のＴＤＤＳに記録され、図１５に示すように、ＴＤＤＳのアップデートタイミング時に各記録層毎に新しい‘Ｌａｓｔ  ＬＳＮ’情報値を記録する。
【００４５】
図１６は、本発明が適用される追記型光ディスクにおける記録再生装置に関する図である。記録再生装置は、光ディスクに対して記録又は再生を行う記録再生部１０と、これを制御する制御部２０（ホスト又は制御部）とを備えている。制御部２０は、記録再生部１０に対し特定の領域への記録又は再生指令を送り、記録再生部１０は、制御部２０の指令に基づき特定の領域への記録再生を行う。記録再生部１０は、具体的には、外部との通信を行うインタフェース部１２と、光ディスクにデータを直接的に記録又は再生するピックアップ部１１と、ピックアップ部から再生信号を受信して所望の信号値に復元したり、記録すべき信号を光ディスクへの記録信号に変調して送るデータプロセッサ１３と、光ディスクから正確に信号を読み込んだり、光ディスクに正確に信号を書き込むためにピックアップ部１１を制御するサーボ部１４と、管理情報を含み、各種の情報やデータを一時保存するメモリ１５と、前記記録再生部内の構成要素の制御を司るマイクロコンピュータ１６とから構成さている。
【００４６】
本発明による追記型光ディスクの記録過程について詳細に説明する。まず、ディスク内の全ての管理情報を読み込んで記録再生部内のメモリ１５に保存する。これらの管理情報は、光ディスクへの記録又は再生時に活用される。制御部２０は、光ディスク内の特定の領域への記録を所望する場合、記録を所望する位置情報を記録すべきデータと共に記録再生部１０に送る。記録再生部内のマイクロコンピュータ１６は、記録指令を受信すると、メモリ１５に保存されている管理情報から（特に、図２、９を参照して説明したＳＢＭから）制御部２０が記録を所望する光ディスク内の領域が既に記録済みとなっているか又は未記録であるかを判断し、未記録領域であれば、制御部２０の記録指令に従って記録を行い、記録済みの領域であれば、そこに記録すべきデータをデータ領域内の他の領域へ代替記録し、代替記録の後もユーザーデータ領域の連続性が確保できるように代替記録を完了させる。
【００４７】
本発明の技術的思想を逸脱することなく種々の変更、又は変形的な使用が可能であることは本発明技術分野の当業者にとっては自明であろう。従って、本発明の特許請求の範囲及びその均等な範囲内での変形的使用は本発明に属することを明らかにする。
【図面の簡単な説明】
【００４８】
【図１】書き換え型光ディスクの構造であってＢＤ−ＲＥを例に挙げて示す図である。
【図２】本発明の追記型光ディスクの構造であってＢＤ−ＷＯを例に挙げて示す図である。
【図３】本発明の追記型光ディスクにおける上書き方法に関する一実施例を示す図である。
【図４】本発明の追記型光ディスクにおける上書き方法に関する他の実施例を示す図である。
【図５】本発明の追記型光ディスクにおける上書き方法に関する他の実施例を示す図である。
【図６】本発明の追記型光ディスクにおける上書き方法に関するまた他の実施例を示す図である。
【図７】本発明の追記型光ディスクにおける上書き方法に関する管理情報を示す図である。
【図８】本発明の追記型光ディスクにおける上書き方法に関する管理情報を示す図である。
【図９】本発明の追記型二層光ディスクの構造であってＢＤ−ＷＯを例に挙げて示す図である。
【図１０】本発明の追記型二層光ディスクにおける上書き方法に関する一実施例を示す図である。
【図１１】本発明の追記型二層光ディスクにおける上書き方法に関する他の実施例を示す図である。
【図１２】本発明の追記型二層光ディスクにおける上書き方法に関するまた他の実施形態を示す図である。
【図１３】本発明の追記型二層光ディスクにおける上書き方法に関するまた他の実施形態を示す図である。
【図１４】本発明の追記型二層光ディスクにおける上書き方法に関する管理情報を示す図である。
【図１５】本発明の追記型二層光ディスクにおける上書き方法に関する管理情報を示す図である。
【図１６】本発明の追記型光ディスクにおける記録再生装置を示す図である。
【図１】
2006510160.tif 000003
【図２】
2006510160.tif 000004
【図３】
2006510160.tif 000005
【図４】
2006510160.tif 000006
【図５】
2006510160.tif 000007
【図６】
2006510160.tif 000008
【図７】
2006510160.tif 000009
【図８】
2006510160.tif 000010
【図９】
2006510160.tif 000011
【図１０】
2006510160.tif 000012
【図１１】
2006510160.tif 000013
【図１２】
2006510160.tif 000014
【図１３】
2006510160.tif 000015
【図１４】
2006510160.tif 000016
【図１５】
2006510160.tif 000017
【図１６】
2006510160.tif 000018
【国際調査報告】
2006510160.tif 000019
2006510160.tif 000020